【手続補正書】
【提出日】令和3年11月9日(2021.11.9)
【手続補正１】
【補正対象書類名】特許請求の範囲
【補正対象項目名】全文
【補正方法】変更
【補正の内容】
【特許請求の範囲】
【請求項１】
身体由来の試料と共に使用するための装置であって、前記装置は、
出力デバイスと、
前記身体由来の試料の一部を収容するように構成されている試料収容器であって、前記試料収容器の少なくとも一部が、少なくとも一定条件下において蛍光するように構成されている試料収容器と、
光学測定デバイスと、
前記光学測定デバイスに操作可能に連結されている少なくとも1つのコンピュータプロセッサとを含み、
前記光学測定デバイスは、
前記試料収容器内に収納される前記身体由来の試料の前記一部に対して光学測定を行うように構成され、かつ、
前記試料収容器の前記一部内の区域を蛍光させることにより、前記区域を少なくとも部分的に光退色させるように構成されており、
前記コンピュータプロセッサは、
前記試料収容器の前記一部内の前記区域が光退色されたことを検出するように構成され、かつ、
それに応答して、
前記試料収容器の少なくとも一部が汚染されていることを示す前記出力デバイスの出力を生成すること、
前記試料収容器の一部内に収納されている前記試料の少なくとも一部について光学測定を行うことができないことを示す前記出力デバイスの出力を生成すること、及び
前記試料収容器の一部内に収納されている前記試料の少なくとも一部について、前記光学測定デバイスが光学測定を行うことを妨げること
からなる群から選択される１つ以上の作用を行うように構成されていることを特徴とする、装置。
【請求項２】
前記装置が、光学測定ユニットをさらに含み、前記光学測定ユニットは、前記光学測定デバイスが前記身体由来の試料の前記一部に対して前記光学測定を行う間、前記試料収容器を収納するように構成されているものであって、前記光学測定デバイスは、前記光学測定ユニットの内部に配置されている前記試料収容器に応答して、前記試料収容器の所定区域を光退色するように構成されている、請求項1に記載の装置。
【請求項３】
前記試料収容器は、前記光学測定デバイスによる複数の測定に使用されるように構成され、かつ、前記光学測定デバイスは、前記試料収容器が前記光学測定デバイスによる測定に使用される度ごとに、前記試料収容器の異なる区域をそれぞれ光退色するように構成されている、請求項1に記載の装置。
【請求項４】
前記コンピュータプロセッサが、前記試料収容器の前記一部内の前記区域が光退色されたことを検出することに応答して、前記試料収容器の少なくとも一部が汚染されていることを示す前記出力デバイスの前記出力を生成するように構成されていることを特徴とする、請求項1〜3のいずれか1項に記載の装置。
【請求項５】
前記コンピュータプロセッサが、
前記試料収容器の前記一部内の区域が光退色されたとの検出に基づいて、前記試料収容器の少なくとも一部が所定回数を超えて使用されたと決定するように構成され、かつ、
前記試料収容器の少なくとも前記一部が所定回数を超えて使用されたと決定したことに応答して、前記出力デバイスの前記出力を生成するように構成されている、請求項4に記載の装置。
【請求項６】
前記コンピュータプロセッサが、前記試料収容器の前記一部内の前記区域が光退色されたことを検出することに応答して、前記試料収容器の前記一部内に収納されている前記試料の少なくとも一部について光学測定を行うことができないことを示す前記出力デバイスの前記出力を生成するように構成されていることを特徴とする、請求項1〜3のいずれか1項に記載の装置。
【請求項７】
前記コンピュータプロセッサが、
前記試料収容器の前記一部内の区域が光退色されたとの検出に基づいて、前記試料収容器の少なくとも一部が所定回数を超えて使用されたと決定するように構成され、かつ、
前記試料収容器の少なくとも前記一部が所定回数を超えて使用されたと決定したことに応答して、前記出力デバイスの前記出力を生成するように構成されていることを特徴とする、請求項6に記載の装置。
【請求項８】
前記コンピュータプロセッサが、前記試料収容器の前記一部内の前記区域が光退色されたことを検出することに応答して、前記試料収容器の前記一部内に収納されている前記試料の少なくとも一部について、前記光学測定デバイスが光学測定を行うことを妨げるように構成されていることを特徴とする、請求項1〜3のいずれか1項に記載の装置。
【請求項９】
前記コンピュータプロセッサが、
前記試料収容器前記の一部内の区域が光退色されたとの検出に基づいて、前記試料収容器の少なくとも一部が所定回数を超えて使用されたと決定するように構成され、かつ、
前記試料収容器の少なくとも前記一部が所定回数を超えて使用されたとの決定に応答して、前記光学測定デバイスが前記光学測定を行うことを妨げるように構成されていることを特徴とする、請求項8に記載の装置。
【請求項１０】
前記光学測定デバイスが、前記試料に対する光学測定を行うことによって前記試料収容器の所定区域を光退色させるように構成されていることを特徴とする、請求項1〜3のいずれか1項に記載の装置。
【請求項１１】
前記光学測定デバイスが、前記試料について光学測定を行うために前記試料に放射線照射するように構成され、かつ、前記光学測定デバイスは、前記試料に放射線照射することによって前記試料収容器の所定区域を光退色させるように構成されていることを特徴とする、請求項10に記載の装置。
【請求項１２】
身体由来の試料と共に使用するための方法であって、前記方法は、
試料収容器内に前記身体由来の試料の一部を配置することを含み、前記試料収容器の少なくとも一部が、少なくとも一定条件下において蛍光するように構成され、及び、
前記身体由来の試料の前記一部は前記試料収容器内に収納されたままで、光学測定デバイスを使用して、前記試料収容器内に収納されている前記身体由来の試料の前記一部に対する光学測定を行うことを含み、
前記試料収容器の前記一部内の区域を蛍光させることによって、前記区域を少なくとも部分的に光退色させることを含み、及び
少なくとも1つのコンピュータプロセッサを使用して、
前記試料収容器の前記一部内の前記区域が光退色されたことを検出すること、及び
それに応答して、
前記試料収容器の少なくとも一部が汚染されていることを表示する出力を出力デバイス上に生成すること、
前記試料収容器の一部内に収納されている前記試料の少なくとも一部について光学測定を行うことができないことを表示する出力を前記出力デバイス上に生成すること、及び
前記光学測定デバイスが、前記試料収容器の一部内に収納されている前記試料の少なくとも一部について光学測定を行うことを妨げること
からなる群から選択される１つ以上の作用を行うことを含むことを特徴とする、方法。
【請求項１３】
前記試料収容器の前記一部内の前記区域を前記区域を蛍光させることによって少なくとも部分的に光退色させることが、前記試料収容器を光学測定ユニットの内部に配置することを含むことを特徴とする、請求項12に記載の方法。
【請求項１４】
前記試料収容器は、前記光学測定デバイスによる複数の測定に使用されるように構成され、かつ、前記試料収容器の前記一部内の前記区域を前記区域を蛍光させることによって少なくとも部分的に光退色させることが、前記試料収容器が前記光学測定デバイスによる測定に使用される度ごとに、前記試料収容器の異なる区域をそれぞれ光退色させることを含むことを特徴とする、請求項12に記載の方法。
【請求項１５】
前記１つ以上の作用を行うことが、前記試料収容器の少なくとも一部が汚染されていることを表示する前記出力を前記出力デバイス上に生成することを含むことを特徴とする、請求項12〜14のいずれか1項に記載の方法。
【請求項１６】
前記方法が、さらに、
前記試料収容器の前記一部内の区域が光退色されたとの検出に基づいて、前記試料収容器の少なくとも一部が所定回数を超えて使用されたと判断することを含むものであって、
前記出力デバイス上の前記出力を生成することが、前記試料収容器の少なくとも前記一部が所定回数を超えて使用されたとの決定に応答して、前記出力デバイス上の前記出力を生成することを含む、請求項15に記載の方法。
【請求項１７】
前記１つ以上の作用を行うことが、前記試料収容器の前記一部内に収納されている前記試料の少なくとも一部について光学測定を行うことができないことを表示する前記出力を前記出力デバイス上に生成することを含むことを特徴とする、請求項12〜14のいずれか1項に記載の方法。
【請求項１８】
前記方法が、さらに、
前記試料収容器の前記一部内の区域が光退色されたとの検出に基づいて、前記試料収容器の少なくとも一部が所定回数を超えて使用されたと判断することを含むものであって、
前記出力デバイス上の前記出力を生成することが、前記試料収容器の少なくとも前記一部が所定回数を超えて使用されたとの決定に応答して、前記出力デバイス上の前記出力を生成することを含む、請求項17に記載の方法。
【請求項１９】
前記１つ以上の作用を行うことが、前記光学測定デバイスが、前記試料収容器の前記一部内に収納されている前記試料の少なくとも一部について光学測定を行うことを妨げることを含むことを特徴とする、請求項12〜14のいずれか1項に記載の方法。
【請求項２０】
前記方法が、さらに、
前記試料収容器の前記一部内の区域が光退色されたとの検出に基づいて、前記試料収容器の少なくとも一部が所定回数を超えて使用されたと判断することを含むものであって、
前記光学測定デバイスが前記光学測定を行うことを妨げることが、前記試料収容器の少なくとも前記一部が所定回数を超えて使用されたとの決定に応答して前記光学測定デバイスが前記光学測定を行うことを妨げることを含むことを特徴とする、請求項19に記載の方法。
【請求項２１】
前記試料収容器の前記一部内の前記区域を蛍光させることによって、前記区域を少なくとも部分的に光退色させることが、前記試料に対する光学測定を行うことによって前記区域を蛍光させることを含むことを特徴とする、請求項12〜14のいずれか1項に記載の方法。
【請求項２２】
前記試料に対する光学測定を行うことが、前記試料について光学測定を行うために前記試料に放射線照射することを含み、かつ、前記区域を蛍光させることによってが、前記試料を蛍光させることによって前記区域を蛍光させることを含むことを特徴とする、請求項21に記載の方法。
【請求項２３】
身体由来の試料と出力デバイスと共に使用するための装置であって、前記装置は、
前記身体由来の試料を収容するように構成されている試料収容器であって、前記試料収容器の少なくとも一部が、少なくとも一定条件下において蛍光するように構成されている前記試料収容器と、
前記試料収容器内に収納される前記身体由来の試料の一部に対して光学測定を行うように構成されている光学測定デバイスと、
前記光学測定デバイスに操作可能に連結されている少なくとも1つのコンピュータプロセッサとを含み、前記コンピュータプロセッサは、前記試料収容器の前記一部内の区域が光退色されたとの検出に応答して、以下の群、即ち、前記試料収容器の少なくとも一部が汚染されていることを示す前記出力デバイスの出力を生成すること、前記試料収容器の所定の一部内に収納されている前記試料の少なくとも一部について光学測定を行うことができないことを示す前記出力デバイスの出力を生成すること、及び、前記光学測定デバイスが、前記試料収容器の所定の一部内に収納されている前記試料の少なくとも一部について光学測定を行うことを妨げることからなる群から選択される作用を行うように構成されていることを特徴とする、装置。
【請求項２４】
前記コンピュータプロセッサが、
前記試料収容器の前記一部内の区域が光退色されたとの検出に基づいて、前記試料収容器の少なくとも一部が所定回数を超えて使用されたと決定するように構成され、かつ、
前記試料収容器の少なくとも前記一部が所定回数を超えて使用されたとの決定に応答して選択された前記作用を行うように構成されていることを特徴とする、請求項23に記載の装置。
【請求項２５】
身体由来の試料及び出力デバイスと共に使用するための方法であって、前記方法は、
試料収容器の内部に前記身体由来の試料の一部を配置することを含み、前記試料収容器の少なくとも一部が、少なくとも一定条件下において蛍光するように構成されており、
前記試料収容器内に収納されている前記身体由来の試料の前記一部に対する光学測定を行うことを含み、及び
少なくとも1つのコンピュータプロセッサを使用して、前記試料収容器の前記一部内の区域が光退色されたとの検出に応答して、以下の群、即ち、前記試料収容器の少なくとも一部が汚染されていることを示す前記出力デバイスの出力を生成すること、前記試料収容器の所定の一部内に収納されている前記試料の少なくとも一部について光学測定を行うことができないことを示す前記出力デバイスの出力を生成すること、及び、前記光学測定デバイスが、前記試料収容器の所定の一部内に収納されている前記試料の少なくとも一部について光学測定を行うことを妨げることからなる群から選択される作用を行うことを含むことを特徴とする、方法。
【請求項２６】
前記選択される作用を行うことが、
前記試料収容器の前記一部内の区域が光退色されたとの検出に基づいて、前記試料収容器の少なくとも一部が所定回数を超えて使用されたと判断すること、及び、
前記試料収容器の少なくとも前記一部が所定回数を超えて使用されたとの決定に応答して、選択された前記作用を行うことを含むことを特徴とする、請求項25に記載の方法。
【請求項２７】
身体由来の試料及び画像化モジュールを有する顕微鏡と共に使用するための装置であって、前記装置は、
内部に前記身体由来の試料の一部を収納するために構成された、少なくとも1つの小室を含み、前記小室は、上側内表面と下側内表面とを含むものであって、
前記上側内表面が第1の標識を含み、かつ、前記下側内表面が第2の標識を含むことを特徴とし、及び
少なくとも1つのコンピュータプロセッサを含み、前記少なくとも1つのコンピュータプロセッサは、
前記画像化モジュールを前記第1の標識に焦点を合わせて、前記画像化モジュールと前記第1の標識との間の第1の焦点合わせ距離の表示を登録するように構成され、
前記画像化モジュールを前記第2の標識に焦点を合わせて、前記画像化モジュールと前記第2の標識との間の第2の焦点合わせ距離の表示を登録するように構成され、かつ、
前記第1の焦点合わせ距離と前記第2の焦点合わせ距離との差に基づいて、前記小室の高さを決定するように構成されていることを特徴とする、装置。
【請求項２８】
身体由来の試料及び画像化モジュールを有する顕微鏡と共に使用するための方法であって、前記方法は、
少なくとも1つの小室の内部に前記身体由来の試料の一部を配置させることを含むものであって、前記小室は上側内表面と下側内表面とを含み、前記上側内表面は第1の標識を含み、及び、前記下側内表面は第2の標識を含んでおり、及び、
少なくとも1つのコンピュータプロセッサを使用することを含み、前記コンピュータプロセッサは、
前記画像化モジュールを前記第1の標識に焦点を合わせて、前記画像化モジュールと前記第1の標識との間の第1の焦点合わせ距離の表示を登録し、
前記画像化モジュールを前記第2の標識に焦点を合わせて、前記画像化モジュールと前記第2の標識との間の第2の焦点合わせ距離表示を登録し、及び、
前記第1の焦点合わせ距離と前記第2の焦点合わせ距離との差に基づいて、前記小室の高さを決定することを特徴とする、方法。